(57)【要約】【課題】口栓の筒状部の内径の大きさに拘らず開封用の被引治具の引っ張りを容易に行える容器の口栓を提供する。【解決手段】内部が閉塞壁２により閉塞されている筒状部３を備えた合成樹脂製の口栓本体１の、前記閉塞壁２に立設した被引治具９を引っ張って、閉塞壁２に設けられた薄肉線部８を引き裂き開封する容器の口栓において、閉塞壁２に立設した被引治具９が、その先端に引っ張り作用部１０を有し、引っ張り作用部１０が前記口栓本体１の筒状部３外に突出する長さに形成され、筒状部３にキャップ６を嵌着した状態で被引治具９が口栓本体１の筒状部３内とキャップ６の天板との間に形成された空間に弾性変形して収容され、前記筒状部３からキャップ６を外したとき、弾性変形からの復元力によりその先端に有する引っ張り作用部１０が口栓本体１の筒状部３の外に飛び出す構造となっている。【選択図】  図１
2004284647.tif 000002
【特許請求の範囲】
【請求項１】
内部が閉塞壁により閉塞されている筒状部を備えた合成樹脂製の口栓本体と該口栓本体の筒状部の外周に嵌着するキャップとからなり、前記筒状部を閉塞する閉塞壁に立設した被引治具を引っ張って、閉塞壁に設けられた薄肉線部を引き裂き、該薄肉線部で囲まれた閉塞壁を取り除いて開封する容器の口栓において、
前記閉塞壁に立設した被引治具は、その先端に引っ張り作用部を有し、該引っ張り作用部が前記口栓本体の筒状部外に突出する長さに形成され、前記筒状部にキャップを嵌着した状態で前記被引治具が口栓本体の筒状部内とキャップの天板との間に形成された空間に弾性変形して収容され、前記筒状部からキャップを外したとき、弾性変形からの復元力によりその先端に有する引っ張り作用部が口栓本体の筒状部の外に飛び出す構造となっていることを特徴とする容器の口栓。
【請求項２】
前記被引治具には、前記筒状部内に収容される際の弾性変形を容易にする易曲部を有していることを特徴とする請求項１に記載の容器の口栓。
【発明の詳細な説明】
【０００１】
【発明の属する技術分野】
本発明は容器に取り付けられる口栓に関する。
【０００２】
【従来の技術】
紙を基材とし、内側及び外側にヒートシールに優れたポリオレフィン系を代表とする熱可塑性樹脂をラミネートした容器が、牛乳、ジュース、清酒、醤油等の液体を充填する容器、更には米等の固形粒体等を充填する容器として広く使用されている。
【０００３】
これらの容器の多くは、該容器から液体内容物、又は固形粒体内容物を注出するため、合成樹脂製の口栓が取り付けられており、この口栓として、衛生上やタンパーエビデントといった観点から、内部が閉塞壁により閉塞されている筒状部を備えた合成樹脂製の口栓本体と該口栓本体の筒状部の外周に嵌着するキャップとからなり、開封の際、キャップを外し、口栓本体の筒状部内に指を差し込んで前記筒状部を閉塞する閉塞壁に立設した被引治具を引っ張ることにより、閉塞壁に設けられた薄肉線部を引き裂き、該薄肉線部で囲まれた閉塞壁を取り除いて開封する口栓が知られている。
【０００４】
前記口栓にあって、閉塞壁に立設した被引治具は、一般に、プルリングに代表される指掛け部を有しており、プルリングに指を掛けて引っ張るようになっているが、前記プルリングは口栓本体の筒状部内にあるため、プルリング内径はこの筒状部内径よりも小さく設計されていて、特に筒状部の内径が小さい口栓は指がプルリングに入り難くなり、それに加えて指をプルリングに差し込もうとすることでプルリングを筒状部の奥へ押し込んでしまうといったことがあり、被引治具の引っ張りによる口栓の開封を面倒なものとしている。
【０００５】
これを解決するためには、口栓本体の筒状部の内径を大きくすればよいが、この種の口栓が取り付けられる容器の取り付け面の広さとの関係で口栓はできるだけ小さくすることが求められている。その結果として、口栓本体の筒状部の内径の小さな口栓においても開封を容易にする試みがなされてきた。
【０００６】
例えば、キャップを閉めた時、プルリングに指を差し込む時に邪魔になる口栓本体の筒状部の上縁がキャップの天板の下面よりも大きく下がった位置にあり、その一部はプルリングの下縁付近にまで下がった位置に設定され、尚かつ傾斜しており、更には、キャップを外した時にプルリングのうちで支柱から遠い部分が上方に持ち上がる等してプルリングに指を差し込んで引っ張り易くした口栓（例えば、特許文献１参照）や、口栓本体の筒状部内でプルリングが折れ曲がって筒状部内に納まるように成形されていることで注出筒内径よりも大きな内径のプルリングを得ることを可能とし、更に、プルリング上端を筒状部の上縁より高くすることでプルリングを注出筒から引き出し易くした口栓（例えば、特許文献２参照）や、口栓本体の筒状部内のプルリングの支柱部分を裂けて広がるようにし、結果的にプルリング内径を筒状部内径よりも大きくすることで小さな口栓でもプルリングに指を挿入し易くした口栓（例えば、特許文献３参照）が提案されている。
【０００７】
【特許文献１】
実開昭５９−１０６８５９号公報
【０００８】
【特許文献２】
特開平９−３０１３９１号公報
【０００９】
【特許文献３】
特開２００２−２４０８４６号公報
【００１０】
【発明が解決しようとする課題】
しかしながら、前記特許文献１で提案されている口栓にあっては、プルリング外径が筒状部の内径よりも小さいことから、筒状部の内径が小さい口栓では指をプルリングに挿入し難くなってしまうといったことや、筒状部が短かすぎると筒状部から内容物を円滑に注ぎ出せなくなるために筒状部は短かすぎてはいけないという制約があるため、いきおい口栓の高さが高くなってしまうことになり、容器がゲーブルトップ型カートンである場合、口栓を取り付ける上部パネルが斜めであるため、これに取り付けた口栓が斜め上方に延びて水平方向に張り出すことになり、充填機で内容液を充填する時に充填機の部品に接触したり、複数本が入る流通用のクレートにカートンを出し入れする時に、キャップが隣のカートンに引っ掛かったりして支障がでてしまうといったことや、搬送時にカートンが嵩張るといった問題がある。
【００１１】
また、前記特許文献２で提案されている口栓にあっては、筒状部内という制約された狭い空間内でプルリングが折れ曲がって筒状部内に略納まるように成形されたもので、キャップを外し被引冶具であるプルリングの弾性変形が解除された状態においても、プルリングの殆どが筒状部の上端縁よりも下の制約された狭い注出筒内に納まったままなので、筒状部の小さな口栓においては、略筒内に納まっているプルリングに指を深く挿入し力を入れて引っ張れる地点まで筒状部から引き出さなければならないという苦労があり、更には、狭い筒状部内の空間での前記プルリングの成形が困難であるといった問題がある。
【００１２】
また、前記特許文献３で提案されている口栓にあっては、キャップを取り除き被引治具であるプルリングの弾性変形が解除されても、プルリングはその殆どが筒状部内に納まっており、これに指先を引っ掛ける等してプルリングに指を深く挿入し、力を入れて引っ張れる地点まで引き出さなければならないという苦労があるといった問題がある。
【００１３】
本発明の目的は、口栓の筒状部の内径の大きさに拘らず開封用の被引治具の引っ張りを容易に行える容器の口栓を提供することにある。
【００１４】
【課題を解決するための手段】
上記の目的を達成するために、請求項１に記載の発明は、内部が閉塞壁により閉塞されている筒状部を備えた合成樹脂製の口栓本体と該口栓本体の筒状部の外周に嵌着するキャップとからなり、前記筒状部を閉塞する閉塞壁に立設した被引治具を引っ張って、閉塞壁に設けられた薄肉線部を引き裂き、該薄肉線部で囲まれた閉塞壁を取り除いて開封する容器の口栓において、前記閉塞壁に立設した被引治具は、その先端に引っ張り作用部を有し、該引っ張り作用部が前記口栓本体の筒状部外に突出する長さに形成され、前記筒状部にキャップを嵌着した状態で前記被引治具が口栓本体の筒状部内とキャップの天板との間に形成された空間に弾性変形して収容され、前記筒状部からキャップを外したとき、弾性変形からの復元力によりその先端に有する引っ張り作用部が口栓本体の筒状部の外に飛び出す構造となっていることを特徴とする。
【００１５】
かかる構成から、口栓本体の筒状部からキャップを外したとき、筒状部内とキャップの天板との間に形成された空間に弾性変形して収容されていた被引治具がキャップによる応力から開放され、その復元力により被引治具の先端に有する引っ張り作用部が口栓本体の筒状部の外に飛び出すので、この飛び出している被引治具の先端に有する引っ張り作用部に対し、筒状部の外で指によりしっかりと捕らえることができ、被引治具を引っ張ることによる口栓の開封作業を容易に行うことができる。
【００１６】
請求項２に記載の発明は、請求項１に記載の、前記被引治具には、前記筒状部内に収容される際の弾性変形を容易にする易曲部を有していることを特徴とする。
【００１７】
かかる構成から、口栓の製造時に、キャップを口栓本体の筒状部に嵌着する作業で、被引治具を容易に曲げることができ、口栓の製造作業を容易に行うことができる。
【００１８】
【発明の実施の形態】
図１は本発明に係る容器の口栓の実施の形態の第１例を示した縦断面図、図２は図１に示す口栓のキャップを外した状態を示す縦断面図である。
図において、１は合成樹脂製の口栓本体であり、内部が閉塞壁２により閉塞されている筒状部３と、筒状部３の下端外周に形成されたフランジ部４を備えている。前記筒状部３の外周にはねじ山５が形成されている。
【００１９】
６は前記筒状部３の外周に着脱可能に嵌着されるキャップであり、本例では、筒状部３の外周に螺着されるようになっている。キャップ６の内周には、前記筒状部３の外周に形成されたねじ山５と螺合するねじ溝７が形成されている。また、図示しないが、キャップ６の内側には、シール用パッキンを設けてもよい。前記筒状部３の外周に着脱可能に嵌着されるキャップ６にあっては、本例では螺合といった手段が採用されているが、凹凸嵌合によるワンタッチ方式のものであってもよい。
【００２０】
前記閉塞壁２には、該閉塞壁２の全周を一巡して開口部輪郭を形成する略円形の環状の薄肉線部８が設けられている。９は前記閉塞壁２の前記薄肉線部８内に立設した被引治具であり、該被引治具９を引っ張ることにより閉塞壁２に設けられた薄肉線部８を引き裂き、該薄肉線部８で囲まれた閉塞壁２ａを取り除くようになっている。前記被引治具９は閉塞壁２に立設した弾性素材で形成された基部９ａの先端に引っ張り作用部１０を設けた構成となっており、また、その長さＬにあっては、前記引っ張り作用部１０が前記筒状部３外に突出する長さに形成され、前記筒状部３にキャップ６を嵌着した状態で前記被引治具９が筒状部３内とキャップ６の天板６ａとの間に形成された空間Ｓに弾性変形して収容され、前記筒状部３からキャップ６を外したとき、弾性変形からの復元力によりその先端に有する引っ張り作用部１０が筒状部３の外に飛び出す構造となっている。
【００２１】
更に詳細には、前記被引治具９における前記筒状部３の外に突出する突出部分の長さＬ１は、少なくとも、前記引っ張り作用部１０を筒状部３の外で、指で摘み或いは掛けることにより捕らえることが容易に且つ確実にできる長さを有し、そして、この筒状部３の外に突出する突出部分の長さＬ１を含む被引治具９の全体の長さＬは、前記筒状部３にキャップ６を嵌着した状態で前記被引治具９が筒状部３内とキャップ６の天板６ａとの間に形成された空間Ｓに弾性変形して収容される長さとなっている。
【００２２】
前記被引治具９を構成する基部９ａにあっては、本例では棒状体からなっている。また、前記引っ張り作用部１０にあっては、指で容易に且つ確実に摘み或いは掛けることができるものであれば特に限定されるものではなく、本例では、前記棒状体からなる基部９ａの先端に膨出部１０ａを形成して、これを引っ張り作用部１０としている。
【００２３】
また、前記被引治具９には、被引治具９を筒状部３内とキャップ６の天板６ａとの間に形成された空間Ｓに弾性変形させて収容する際に、被引治具９がキャップ６のねじ込みに連れて所定の方向に曲がり易くするために易曲部１１が設けられている。本例では、被引治具９を構成する棒状体からなる基部９ａの一箇所以上に、曲げ易い扁平状部１１ａを形成して易曲部１１としている。
【００２４】
前記のように、内部が閉塞壁２により閉塞されている筒状部３、筒状部３の下端外周に形成されたフランジ部４及び閉塞壁２に立設した被引治具９で構成される口栓本体１は、軟質性の合成樹脂の射出成形によって一体成形されている。
【００２５】
図３は本発明に係る容器の口栓の実施の形態の第２例を示すキャップ６を外した状態の一部省略斜視図である。
【００２６】
本例では、口栓本体１の筒状部３を閉塞している閉塞壁２に立設した被引治具９は、基部９ａが狭幅の板状体となっており、その先端に、基部９ａと交差する方向に伸びる棒状部１０ｂを形成し、これを引っ張り作用部１０としている。そして、前記狭幅の板状体からなる基部９ａに設けられる易曲部１１は、本例では、前記基部９ａの一箇所以上に付した反対方向に交互に折曲する折目１１ｂにより構成されている。
【００２７】
図４は本発明に係る容器の口栓の実施の形態の第３例を示すキャップ６を外した状態の一部省略斜視図である。
本例では、口栓本体１の筒状部３を閉塞している閉塞壁２に立設した被引治具９は、基部９ａが広幅の板状体となっており、その先端に、基部９ａと交差する方向に伸びる棒状部１０ｃを形成し、これを引っ張り作用部１０としている。そして、前記基部９ａに設けられる易曲部１１は、本例では、前記基部９ａの一箇所以上に付した螺旋状に折曲する螺旋折目１１ｃにより構成されている。
【００２８】
図５は本発明に係る容器の口栓の実施の形態の第４例を示すキャップ６を外した状態の一部省略斜視図である。
本例では、口栓本体１の筒状部３を閉塞している閉塞壁２に立設した被引治具９は、基部９ａが棒状体となっており、その先端に基部９ａと交差する方向に伸びる楕円球状部１０ｄを形成し、これを引っ張り作用部１０としている。そして、前記基部９ａに設けられる易曲部１１は、本例では、前記基部９ａの任意区間に形成したコイル部１１ｄにより構成されている。
【００２９】
図６は本発明に係る容器の口栓の実施の形態の第５例を示すキャップ６を外した状態の一部省略斜視図である。
本例では、口栓本体１の筒状部３を閉塞している閉塞壁２に立設した被引治具９は、基部９ａが棒状体となっており、その先端にプルリング１０ｅを形成して、これを引っ張り作用部１０としている。そして、前記基部９ａに設けられる易曲部１１は、本例では、前記基部９ａに形成した屈曲部１１ｅにより構成されている。
【００３０】
上記のように構成された容器の口栓は、口栓本体１の筒状部３を閉塞している閉塞壁２に立設した被引治具９の長さＬが、前記引っ張り作用部１０が前記筒状部３外に突出する長さに形成され、前記筒状部３にキャップ６を嵌着した状態では前記被引治具９が筒状部３内とキャップ６の天板６ａとの間に形成された空間Ｓに弾性変形して収容される構造となっているので、被引治具９を筒状部３内に支障なく待機させることができる。
【００３１】
そして、開封時に、口栓本体１の筒状部３からキャップ６を外したとき、前記被引治具９はキャップ６による応力から開放され、その復元力により伸び上がり、先端に有する引っ張り作用部１０が口栓本体１の筒状部３の外に飛び出す。このとき、前記筒状部３の外に突出した被引治具９の突出部分の長さＬ１は、少なくとも、前記引っ張り作用部１０を筒状部３の外で、指で摘み或いは掛けることにより捕らえることが容易に且つ確実にできる長さを有しているので、引っ張り作用部１０を筒状部３の外で指によりしっかりと捕らえることができる。そして、前記引っ張り作用部１０が、膨出部１０ａ、棒状部１０ｂ，１０ｃ、楕円球状部１０ｄ或いはプルリング１０ｅからなっているので、引っ張り作用部１０を指で容易に且つ確実に捕らえることができ、被引治具９を引っ張ることによる口栓の開封作業を容易に行うことができる。
【００３２】
また、前記被引治具９には、該被引治具９を筒状部３内とキャップ６の天板６ａとの間に形成された空間Ｓに弾性変形させて収容させる際に、キャップ６のねじ込みに連れて所定の方向に曲がり易くする易曲部１１が設けられているので、口栓の製造時に、キャップ６を口栓本体１の筒状部３に嵌着する作業で、被引治具９を容易に曲げることができ、閉塞壁２の破壊等のトラブルを発生させることなく、効率よく筒状部３内とキャップ６の天板６ａとの間に形成された空間Ｓに収容させることができ、口栓の製造作業を容易に行うことができる。
【００３３】
なお、前記した内部が閉塞壁２により閉塞されている筒状部３、筒状部３の下端外周に形成されたフランジ部４及び閉塞壁２に立設した被引治具９で構成される口栓本体１を成形する合成樹脂にあっては、低密度ポリエチレンが一般的であるが、シングルサイト系触媒を用いて合成された直鎖状低密度ポリエチレン、ポリプロピレン、その他のポリオレフィン類、変性ポリエチレンテレフタレート等の軟質合成樹脂であれば特に限定されるものではない。
【００３４】
また、キャップ６を成形する合成樹脂にあっては、高密度ポリエチレンが一般的であるが、中密度ポリエチレン、低密度ポリエチレン、直鎖状低密度ポリエチレン、シングルサイト系触媒を用いて合成された直鎖状低密度ポリエチレン、ポリプロピレン等のポリオレフィン類、ＡＢＳ樹脂、ポリカーボネート、アラミド樹脂、ポリエステル、アクリル樹脂等から選ばれた熱可塑性樹脂も使用される。
【００３５】
また、前記例では被引治具９の先端に有する引っ張り作用部１０として、膨出部１０ａ、棒状部１０ｂ，１０ｃ、楕円球状部１０ｄ、プルリング１０ｅを挙げているが、これらに限定されるものではなく、指で容易に且つ確実に捕らえることができる形状であればよい。
【００３６】
また、前記閉塞壁２にあっては、筒状部３を閉塞するものであれば、筒状部３のどの位置に設けられていてもよく、例えば、筒状部３の中間部に設けられていてもよく、また、閉塞壁２に設けられる薄肉線部８の形状は、上記例では、略円形となっているが、これに限られるものではなく、楕円形、矩形、馬蹄形等どのような形状であってもよい。
【００３７】
【発明の効果】
以上のように本発明に係る容器の口栓によれば、口栓本体の筒状部からキャップを外したとき、筒状部内とキャップの天板との間に形成された空間に弾性変形して収容されていた被引治具がキャップによる応力から開放され、その復元力により被引治具の先端に有する引っ張り作用部が口栓本体の筒状部の外に飛び出すので、筒状部の中に指を差し込むことなく、この飛び出している被引治具の先端に有する引っ張り作用部を指で捕らえて被引治具を引っ張ることができることから、口栓の筒状部の内径の大きさに拘らず開封用の被引治具の引っ張りを容易に行うことができ、これにより、口栓全体の小型化も可能となり、従来困難或いは不可能視されていた小型容器の口栓としても使用することができる。更には、筒状部内に指を差し込まないので、指が筒状部内面に触れることが無く、衛生上も好ましいものとなる。
【図面の簡単な説明】
【図１】本発明に係る容器の口栓の実施の形態の一例を示す縦断面図。
【図２】図１に示す口栓のキャップを外した状態を示す縦断面図。
【図３】本発明に係る容器の口栓の実施の形態の他例を示すキャップを外した状態の一部省略斜視図。
【図４】本発明に係る容器の口栓の実施の形態の他例を示すキャップを外した状態の一部省略斜視図。
【図５】本発明に係る容器の口栓の実施の形態の他例を示すキャップを外した状態の一部省略斜視図。
【図６】本発明に係る容器の口栓の実施の形態の他例を示すキャップを外した状態の一部省略斜視図。
【符号の説明】
１  口栓本体
２  閉塞壁
２ａ  薄肉線部で囲まれた閉塞壁
３  筒状部
４  フランジ部
５  ねじ山
６  キャップ
６ａ  天板
７  ねじ溝
８  薄肉線部
９  被引治具
９ａ  基部
１０  引っ張り作用部
１０ａ  膨出部
１０ｂ，１０ｃ  棒状部
１０ｄ  楕円球状部
１０ｅ  プルリング
１１  易曲部
１１ａ  扁平状部
１１ｂ  折目
１１ｃ  螺旋折目
１１ｄ  コイル部
１１ｅ  屈曲部
【図１】
2004284647.tif 000003
【図２】
2004284647.tif 000004
【図３】
2004284647.tif 000005
【図４】
2004284647.tif 000006
【図５】
2004284647.tif 000007
【図６】
2004284647.tif 000008